(57)【特許請求の範囲】
【請求項１】
線材を用いてカップ状に形成され、羽根車を回転させる電動機が取り付けられる複数本の取付足が設けられている換気扇に着脱自在に設置される換気扇用保護ガードであって、
前記各取付足の基部側をそれぞれ逃がすために外周部に形成されている複数の開放部と、
前記各開放部の前記換気扇用保護ガード中心側に設けられ、前記各開放部を挟んで隣接する線材を接続した補強材と、
前記補強材と前記取付足とを接合させて固定する取付金具と、を備え、
前記取付金具は、
前記羽根車の回転軸の軸方向に延び、前記取付足の側面に隣接する延伸部と、
前記延伸部の一端部から延び、前記取付足の基部側の一部に引っ掛けられる一方の引っ掛け部と、
前記延伸部の他端部から前記一方の引っ掛け部に対して略直角の方向に延び、前記延伸部と交差して環状をなす中間部と、
前記中間部の端部から前記取付足の基部側に曲げられ、前記補強材の前記取付足側ではない方の表面の一部に引っ掛けられて、前記補強材を前記取付足に押圧する他方の引っ掛け部と、を有する
ことを特徴とする換気扇用保護ガード。
【請求項２】
前記延伸部は、前記軸方向に沿って直線状に延びており、
前記一方の引っ掛け部は、前記軸方向に垂直な一方向に延びており、
前記中間部は、前記延伸部の他端部から前記軸方向に垂直で且つ前記一方向に対して略直角の他方向に延びる直線部と、２カ所の折り曲げ部と、を有する
ことを特徴とする請求項１に記載の換気扇用保護ガード。
【請求項３】
前記取付金具は、
前記一方の引っ掛け部が前記取付足の基部側の一部に引っ掛けられた状態で、前記中間部を前記補強材にあてがったまま前記一方の引っ掛け部を軸に回転させることで、前記他方の引っ掛け部が前記補強材の前記取付足側ではない方の表面の一部に引っ掛かる
ことを特徴とする請求項１又は２に記載の換気扇用保護ガード。
【請求項４】
前記取付金具は、
鉄又はステンレスで構成された一本の線材によって形成されている
ことを特徴とする請求項１〜３のいずれか一項に記載の換気扇用保護ガード。
【請求項５】
請求項１〜４のいずれか一項に記載の換気扇用保護ガードが着脱自在に設置される
ことを特徴とする換気扇。
【発明の詳細な説明】
【技術分野】
【０００１】
本発明は、換気扇用保護ガードおよび換気扇用保護ガードを備えた換気扇に関するものである。
【背景技術】
【０００２】
一般に産業用や業務用の換気扇は、壁面等に取り付けるための角型の外枠を備え、その外枠の中央部にダクト部を有し、ダクト部の中心軸上に、羽根車が組み込まれた電動機が配置された構成となっている。このような換気扇は、電動機により羽根車が回転することにより、軸方向の空気流を形成するようになっている。電動機は、一端が外枠に固定され、他端がダクトに向かって延出した複数本の取付足によりダクト中心部の中心線上に固定されている。こうした換気扇の中には、鋼線やステンレス線などによりカップ上に構成された保護ガードを取り付けるものがある（たとえば、特許文献１参照）。
【０００３】
特許文献１に示されているような保護ガードは、ダクト部の電動機側を覆い、取付足に対してネジ等を使って取り付けられている。そして、このような保護ガードは、全体のコンパクト化と取付時の障害にならないように、その最外周部は取付足の基部よりも内側（中心側）になるように設計されている。したがって、保護ガードの最外周部には、各取付足の基部との干渉を回避するため開放部が設けられている。これらの開放部は、最外周部を構成している外周リングとその内側のリングの一部を切除することにより形成されている。また、保護ガードは、この開放部の内側において外周リングと内側のリングを連結する放射状に配接された縦線に取り付けられた補強線と取付足と接触させ、換気扇に取り付けられる。
【０００４】
このような保護ガードは、取付金具に挿通したねじ棒の先端のフックを取付足に引っ掛け、ねじ棒に外側から蝶ナットをねじはめして締め付けることにより行われる。蝶ナットの締め付けにより各取付足に、開放部に設けた補強線が当たる位置で保護ガードが固定されるようになっている。
【先行技術文献】
【特許文献】
【０００５】
【特許文献１】特許第３５３８９６１号公報（図１〜図４など）
【発明の概要】
【発明が解決しようとする課題】
【０００６】
しかし、特許文献１に記載されている保護ガードの取り付けの場合、取付金具、ねじ棒、蝶ナットと部品数が多く、高価となってしまい、かつ取り付けが難しくなっているという課題が残る。
【０００７】
その対策として、図７に示すようにステンレスの線材を成形して作った取付部品１１０によって固定しているものがある。取付部品１１０は、両端をコの字型１１１，１１２にし、中央の曲げ部１１３を持った構造となっている。保護ガードを換気扇に取り付ける要領は、先端のコの字形１１１を換気扇の取付足の羽根側に引っ掛け、その後曲げ部１１３を保護ガードの略凸型の補強線に引っ掛け、最後に先端のコの字形１１２をもう一度取付足１０２に引っ掛けることで保護ガードの固定が可能となる。なお、図７は、従来から存在している取付部品１１０の構成を示す構成図である。
【０００８】
しかし、このような取付部品１１０を使用した場合、保護ガードの縦線、補強線があるため視認性が悪くかつ、線材の間に指を挿入させなければ固定できないため、取り付けが難しいという課題が残る。
【０００９】
本発明は、上記のような課題を解決するためになされたもので、コストの高騰を招くことなく、保護ガードの取付性を改善した換気扇用保護ガード、及びこの換気扇用保護ガードを備えた換気扇を提供することを目的としている。
【課題を解決するための手段】
【００１０】
本発明に係る換気扇用保護ガードは、線材を用いてカップ状に形成され、羽根車を回転させる電動機が取り付けられる複数本の取付足が設けられている換気扇に着脱自在に設置される換気扇用保護ガードであって、前記各取付足の基部側をそれぞれ逃がすために外周部に形成されている複数の開放部と、前記各開放部の前記換気扇用保護ガード中心側に設けられ、前記各開放部を挟んで隣接する線材を接続した補強材と、前記補強材と前記取付足とを接合させて固定する取付金具と、を備え、前記取付金具は、前記羽根車の回転軸の軸方向に延び、前記取付足の側面に隣接する延伸部と、前記延伸部の一端部から延び、前記取付足の基部側の一部に引っ掛けられる一方の引っ掛け部と、前記延伸部の他端部から前記一方の引っ掛け部に対して略直角の方向に延び、前記延伸部と交差して環状をなす中間部と、前記中間部の端部から前記取付足の基部側に曲げられ、前記補強材の前記取付足側ではない方の表面の一部に引っ掛けられて、前記補強材を前記取付足に押圧する他方の引っ掛け部と、を有するものである。
【００１１】
本発明に係る換気扇は、上記の換気扇用保護ガードが着脱自在に設置されるものである。
【発明の効果】
【００１２】
本発明に係る換気扇用保護ガードによれば、線材によって構成された取付金具を使用することにより、簡素な構造で換気扇に取り付けることができ、その分のコスト高騰を招くことがなくなる。
【００１３】
本発明に係る換気扇によれば、コストの高騰を招くことなく、簡便に換気扇用保護ガードの取付作業が実行できる。
【図面の簡単な説明】
【００１４】
【図１】本発明の実施の形態に係る換気扇用保護ガードが取り付けられた換気扇の構成を示す正面図である。
【図２】本発明の実施の形態に係る換気扇用保護ガードが取り付けられた換気扇の構成を示す側面図である。
【図３】本発明の実施の形態に係る換気扇用保護ガードの構成を示す正面図である。
【図４】本発明の実施の形態に係る換気扇用保護ガードの構成を示す側面図である。
【図５】本発明の実施の形態に係る換気扇用保護ガードの取付金具の構成を示す構成図である。
【図６】本発明の実施の形態に係る換気扇用保護ガードの取付金具の詳細な構成を示す構成図である。
【図７】従来から存在している取付部品の構成を示す構成図である。
【発明を実施するための形態】
【００１５】
以下、本発明の実施の形態を図面に基づいて説明する。
図１は、本発明の実施の形態に係る換気扇用保護ガード８が取り付けられた換気扇Ａの構成を示す正面図である。図２は、換気扇用保護ガード８が取り付けられた換気扇Ａの構成を示す側面図である。図１及び図２に基づいて、換気扇用保護ガード８が取り付けられた換気扇Ａの構成について説明する。以下の説明では、換気扇用保護ガード８を、単に保護ガード８と称するものとしている。なお、図１を含め、以下の図面では各構成部材の大きさの関係が実際のものとは異なる場合がある。また、各図においては、同一の符号を付したものは、同一の又はこれに相当するものであり、これは明細書の全文において共通している。
【００１６】
保護ガード８は、換気扇Ａを保護する機能を有し、鋼線やステンレス線を篭形のカップ状に曲げた構造をもち、取付金具７により換気扇Ａの取付足５に着脱可能に取り付けられる。また、換気扇Ａは、平面形状が方形の外枠１によって建物の壁面等に取り付けられ、給気または排気によって室内の換気を行うものである。なお、換気扇Ａの大きさについて特に限定するものではないが、実施の形態では比較的大型の換気扇Ａを想定して説明する。
【００１７】
図１及び図２に示すように、換気扇Ａは、壁面に固定するための角型の外枠１と、外枠１の中央部に配置され、一端が円弧に拡張したベルマウス部に形成された風路を構成するダクト部２と、が一体に設けられている。このダクト部２内には電動機３により回転し、ダクト部２内に軸方向の空気流を形成する羽根車４が組み込まれている。
【００１８】
この羽根車４を回転させる電動機３は、外枠１の正面における角部に対応する位置に一端がねじ固定され、他端がダクト部２の中心に向かって延出された複数本の取付足５により支持されている。取付足５は、等間隔に４本（３本のこともある）設けられ、その外枠１にねじ固定される基部側はダクト部２に沿って前方へ突き出し、電動機３を支持する側はダクト部２に向かって放射上に延び出している。各取付足５のダクト部２側端は連結部材で相互に連結され、それらの中央には電動機取付板６が固定されている。電動機３はこの電動機取付板６の中央に形成された取付孔に嵌め合わされ、電動機取付板６にねじ固定されてダクト部２の中心線上に固定されている。
【００１９】
なお、図３及び図４で詳細に説明するが、図１には保護ガード８に形成されている開放部１２、補強線１３、中央開放部１８が図示してあり、図２には補強線１３、取付金具７、補強線１３と取付金具７との接触部分である接触部１４が図示してある。
【００２０】
図３は、保護ガード８の構成を示す正面図である。図４は、保護ガード８の構成を示す側面図である。図３及び図４に基づいて、保護ガード８について説明する。以上のように構成された換気扇Ａに取り付ける保護ガード８は、換気扇Ａのダクト部２の電動機３側に着脱可能に取り付けられる。保護ガード８は、取付金具７によって各取付足５に取り付けられる。
【００２１】
図３及び図４に示すように、保護ガード８は、最外周部を形成する外周リング９と数個の内周リング１０を、放射状に設けられる多数の縦線１１で同心円状に連結した篭形のカップ状に構成されている。外周リング、内周リング１０、及び、縦線１１は、たとえば鋼線やステンレス線で構成されている。外周リング９及び各内周リング１０と、各縦線１１と、の交差部は、溶接などで結合されている。なお、内周に位置する内周リング１０の内側（保護ガード中心側）は、電動機３の一側端に対応し、縦線１１を設けず、そのまま開放している（図３に示す中央開放部１８）。
【００２２】
なお、保護ガード８の構成材料を鋼線やステンレス線に限定するものではない。また、外周リング９及び内周リング１０は、保護ガード８と同じ材料で構成しなくてもよい。さらに、内周リング１０の個数、各内周リング１０の径、縦線１１の本数等も、図示しているものに限定するものではない。ただし、外周リング９は、換気扇Ａの設置施工時の作業性を悪化させないように、取付足５の基部よりも内側（保護ガード中心側）に入る外径としている。
【００２３】
この保護ガード８の外周部には、各取付足５の基部側との干渉をさけるための開放部１２が形成されている。開放部１２は、取付足５の間隔及び本数に対応するように形成されている。図３では、開放部１２が等間隔で４カ所設けられた例を示している。これらの開放部１２は、最外周の外周リング９とこれに最寄りの内周リング１０とを、隣接している縦線１１の間隔で切除することにより形成されている。各開放部１２の内方側（保護ガード中心側）には数本（図面では１本）の補強線１３が、開放部１２に隣接している縦線１１に跨って差し渡されるように固着されている。
【００２４】
保護ガード８に開放部１２を設けることにより、保護ガード８の径を小さくでき、保護ガード８の全体をコンパクトに構成できている。補強線１３は、保護ガード８が換気扇Ａに取り付けられた状態において、取付足５の上面（ダクト部２側を下側、電動機３側を上側として見た状態における上面）と接触する。補強線１３と取付足５との接触部分を接触部１４と称する。すなわち、保護ガード８は、接触部１４を使って、換気扇Ａに固定されるようになっている。
【００２５】
図５は、保護ガード８の取付金具７の構成を示す構成図である。図６は、保護ガード８の取付金具７の詳細な構成を示す構成図である。図５及び図６に基づいて、取付金具７の構成を説明するとともに、取付金具７を用いた保護ガード８の換気扇Ａへの取り付けについて説明する。図５（ａ）が取付金具７の一側面図を、図５（ｂ）が図５（ａ）の状態から９０°水平方向に回転させた一側面図を、それぞれ示している。また、図６（ａ）が取付金具７の使用状態を示す位置側面図を、図６（ｂ）が図６（ａ）の状態から９０°水平方向に回転させた一側面図を、それぞれ示している。
【００２６】
図５及び図６に示すように、取付金具７は、鉄またはステンレスの１本の棒状金具を複数回折り曲げて形成されている。図５及び図６では、取付金具７を詳しく説明するために、各部に名称を付記している。つまり、取付金具７は、第１折り曲げ部５０ａ、第２折り曲げ部５０ｂ、第３折り曲げ部５０ｃ、第４折り曲げ部５０ｄ、第５折り曲げ部５０ｅ、第６折り曲げ部５０ｆ、第１直線部５１ａ、第２直線部５１ｂ、第３直線部５１ｃ、第４直線部５１ｄ、第５直線部５１ｅ、第６直線部５１ｆ、第７直線部５１ｇ、で構成されている。
【００２７】
第１折り曲げ部５０ａは、取付金具７となる棒状金具の略中央部を略直角に折り曲げて形成されている。この第１折り曲げ部５０ａから両端側に延びる部分が、第１直線部５１ａ、第４直線部５１ｄとなる。第２折り曲げ部５０ｂは、第１直線部５１ａの一端部（図５（ｂ）の紙面上側端部）を鋭角に折り曲げて形成されている。この第２折り曲げ部５０ｂから図５（ｂ）の紙面左側下方に向かって延びる部分が第２直線部５１ｂとなる。第３折り曲げ部５０ｃは、第２直線部５１ｂの一端部（図５（ｂ）の紙面左側端部）を鈍角に折り曲げて形成されている。この第３折り曲げ部５０ｃから図５（ｂ）の紙面左側上方に向かって延びる部分が第３直線部５１ｃとなる。
【００２８】
第４折り曲げ部５０ｄは、第４直線部５１ｄの一端部（図５（ｂ）の紙面左側端部）を略直角に折り曲げて形成されている。この第４折り曲げ部５０ｄから図５（ｂ）の紙面上側に向かって延びる部分が第５直線部５１ｅとなる。第５折り曲げ部５０ｅは、第５直線部５１ｅの一端部（図５（ａ）の紙面上側端部）を略直角に折り曲げて形成されている。この第５折り曲げ部５０ｅから図５（ａ）の紙面左側に向かって延びる部分が第６直線部５１ｆとなる。第６折り曲げ部５０ｆは、第６直線部５１ｆの一端部（図５（ａ）の紙面左側端部）を鈍角に折り曲げて形成されている。この第６折り曲げ部５０ｆから所定の距離延びる部分が第７直線部５１ｇとなる。
【００２９】
取付金具７の第５折り曲げ部５０ｅ、第６直線部５１ｆで、第６折り曲げ部５０ｆ、第７直線部５１ｇで、コの字型先端部１５が構成されている。また、取付金具７の第５直線部５１ｅの一部、第４折り曲げ部５０ｄ、第４直線部５１ｄで、第１折り曲げ部５０ａ、第１直線部５１ａ、第２折り曲げ部５０ｂ、第２直線部５１ｂ、第３折り曲げ部５０ｃで、略四角部１６が構成されている。さらに、第３折り曲げ部５０ｃ、第３直線部５１ｃで曲げ部１７が構成されている。そして、図６に示すように、取付金具７を用いて取付足５の上面と補強線１３とを接合させて接触部１４を形成している。
【００３０】
なお、各折り曲げ部の折り曲げ角度を図示したものに限定するものではなく、取付足５及び補強線１３との関係で適宜調整可能にしておくとよい。また、各直線部の長さを図示したものに限定するものではなく、取付足５及び補強線１３との関係で適宜調整可能にしておくとよい。さらに、各直線部は、厳密に直線形状になっていることを要求するものではなく、湾曲形状になっていたり、多少の蛇行があったりしても構わない。つまり、コの字型先端部１５は、取付足５に引っ掛かるようなフック形状になっていればよく、形状をコの字に限定するものではない。
【００３１】
保護ガード８の取付作業を説明する。まず、取付金具７のコの字型先端部１５を取付足５の接触部１４の反対側に引っ掛ける。次に、作業者の目の前となる略四角部１６を保護ガードの補強線１３にあてがったままの状態で、コの字型先端部１５を軸に略四角部１６を回転させる。しばらく回転を継続すると、曲げ部１７が補強線１３の上面（ダクト部２側を下側、電動機３側を上側として見た状態における上面）の一部に引っ掛かることになる。こうすることにより、取付足５と保護ガード８とが接触部１４を介して固定される。つまり、取付金具７を用いることで、コの字型先端部１５、曲げ部１７が引っ掛け部として機能し、取付足５と補強線１３とを２カ所で引っ掛けることができるようになっている。また、取付金具７には曲げ部１７が形成されているので、この曲げ部１７により取付金具７の外れが防止される（図６参照）。
【００３２】
以上のように、線材によって構成された取付金具７を使用することにより、簡素な構造で保護ガード８を換気扇Ａに取り付けることができる。よって、その分のコスト高騰を招くことがなくなる。また、取付金具７を使用することにより、取付足５と補強線１３とを２カ所で引っ掛けることで固定でき、保護ガード８の取り付けが簡便化され、取付性が改善する。さらに、取付金具７を使用することにより、作業者の目の前で取付金具７の引っ掛かり状態を確認できるため、視認性がよく、作業の簡便化が一層向上することになるとともに、保護ガード８の取り付けの確実性が向上する。
【００３３】
また、取付金具７は、複数の折り曲げ部を形成したことによってばね性を備えているため、換気扇Ａの取付足５の幅が異なる場合にも対応して使用することが可能となっており、取り付け可能な換気扇Ａの幅が拡がる。そして、取付金具７には曲げ部１７が形成されているため、保護ガード８を換気扇Ａに取り付けた後、取付金具７が外れることはないので、保護ガード８も外れることはない。なお、換気扇Ａによれば、コストの高騰を招くことなく、簡便に保護ガード８の取付作業が実行できることになる。
【符号の説明】
【００３４】
１  外枠、２  ダクト部、３  電動機、４  羽根車、５  取付足、６  電動機取付板、７  取付金具、８  換気扇用保護ガード、９  外周リング、１０  内周リング、１１  縦線、１２  開放部、１３  補強線（補強材）、１４  接触部、１５  コの字型先端部、１６  略四角部（中間部）、１７  曲げ部、１８  中央開放部、５０ａ  第１折り曲げ部、５０ｂ  第２折り曲げ部、５０ｃ  第３折り曲げ部、５０ｄ  第４折り曲げ部、５０ｅ  第５折り曲げ部、５０ｆ  第６折り曲げ部、５１ａ  第１直線部、５１ｂ  第２直線部、５１ｃ  第３直線部、５１ｄ  第４直線部、５１ｅ  第５直線部、５１ｆ  第６直線部、５１ｇ  第７直線部、１０２  取付足、１１０  取付部品、１１１  コの字型、１１２  コの字型、１１３  曲げ部、Ａ  換気扇。
【図１】
0006008531.tif 000002
【図２】
0006008531.tif 000003
【図３】
0006008531.tif 000004
【図４】
0006008531.tif 000005
【図５】
0006008531.tif 000006
【図６】
0006008531.tif 000007
【図７】
0006008531.tif 000008